(57)【要約】【課題】地中連続壁を構成する先行エレメントの、後行エレメントとの接合面を確実に洗浄する。【解決手段】洗浄装置１は、接合面４２に沿って上下動する本体１１と、本体１１に設けられ、その毛先を接合面４２に当接させるとともに、本体１１に対して回転するブラシ１３と、ブラシ１３を回転させる回転手段１２と、を備え、毛先が接合面４２に当接した状態のとき、ブラシ１３の回転軸は接合面４２に対し略垂直となる。【選択図】図１
2011094290.tif 000002
【特許請求の範囲】
【請求項１】
地中連続壁を構成する先行エレメントの、後行エレメントとの接合面に付着したスライムを除去する地中連続壁接合面の洗浄装置であって、
前記接合面に沿って上下動する本体と、
前記本体に設けられ、その毛先を前記接合面に当接させるとともに、前記本体に対して回転するブラシと、
前記ブラシを回転させる回転手段と、を備え、
前記毛先が前記接合面に当接した状態のとき、前記ブラシの回転軸は前記接合面に対し略垂直となることを特徴とする地中連続壁接合面の洗浄装置。
【請求項２】
前記ブラシが、前記地中連続壁の厚さ方向に複数並べて設けられることを特徴とする請求項１に記載の地中連続壁接合面の洗浄装置。
【請求項３】
前記接合面に高圧の水を吹きかける噴射装置を更に備えることを特徴とする請求項１または２に記載の地中連続壁接合面の洗浄装置。
【請求項４】
前記接合面に設けられる止水用の鋼材に係合するとともに、前記鋼材に対し上下動可能な被ガイド部を更に備え、
前記鋼材をガイドにして上下方向に移動することを特徴とする請求項１から３のいずれか一項に記載の地中連続壁接合面の洗浄装置。
【請求項５】
地中連続壁を構成する先行エレメントの、後行エレメントとの接合面に付着したスライムを除去する地中連続壁接合面の洗浄方法であって、
前記接合面にブラシの毛先を当接させ、
前記ブラシを、その回転軸が前記接合面に対し略垂直となるように回転させることを特徴とする地中連続壁接合面の洗浄方法。
【発明の詳細な説明】
【技術分野】
【０００１】
本発明は、地中連続壁の接合面を洗浄するための装置と、地中連続壁の接合面を洗浄する方法に関する。
【背景技術】
【０００２】
地中連続壁は、溝中に設けた先行エレメントに後行エレメントを継ぎ足す工程を繰り返すことにより構築される。その際、先行エレメントの接合面に、溝を掘削した際の泥等がスライムとなって付着する。先行エレメントと後行エレメントとの間に隙間が生じにくい高品質の地中連続壁を構築するためには、後行エレメントを構築する前に、先行エレメントの接合面に付着しているスライムを除去する必要がある。
【０００３】
スライムを除去する方法としては、従来、接合面を形成する掘削機を利用したものが知られている。具体的には、この掘削機（１２）の回転ドラム（１０）に取り付けられているカッター（２２）は着脱可能となっている。そして、カッターをはずした回転ドラムには、カッターの代わりにブラシ（２６）を取り付けることが可能となっている（特許文献１参照）。この掘削機によって接合面（１６）を形成した後、回転ドラムのカッターをブラシに付け替える。そして、回転ドラムを回転させながら、接合面に沿って掘削機を下降させることにより、接合面の洗浄が行われる。
【先行技術文献】
【特許文献】
【０００４】
【特許文献１】特開平１１−１７２６６８号公報
【発明の概要】
【発明が解決しようとする課題】
【０００５】
しかし、掘削機を用いたこの方法では、ブラシの回転軸がエレメントの厚さ方向を向くので、接合面とブラシの接点において、ブラシの移動方向及びブラシの回転方向が共に下向きになる。このため、ブラシはスライムを上下方向に直線状にこすり落としていくが、ブラシの毛先と毛先との間にはある程度の間隔があるので、接合面にスライムが直線状に残ってしまうおそれがある。
【０００６】
本発明の課題は、地中連続壁を構成する先行エレメントの、後行エレメントとの接合面を確実に洗浄することである。
【課題を解決するための手段】
【０００７】
以上の課題を解決するため、請求項１に記載の発明は、地中連続壁を構成する先行エレメントの、後行エレメントとの接合面に付着したスライムを除去する地中連続壁接合面の洗浄装置であって、前記接合面に沿って上下動する本体と、前記本体に設けられ、その毛先を前記接合面に当接させるとともに、前記本体に対して回転するブラシと、前記ブラシを回転させる回転手段と、を備え、前記毛先が前記接合面に当接した状態のとき、前記ブラシの回転軸は前記接合面に対し略垂直となることを特徴とする。
【０００８】
請求項２に記載の発明は、請求項１に記載の地中連続壁接合面の洗浄装置であって、前記ブラシが、前記地中連続壁の厚さ方向に複数並べて設けられることを特徴とする。
【０００９】
請求項３に記載の発明は、請求項１または２に記載の地中連続壁接合面の洗浄装置であって、前記接合面に高圧の水を吹きかける噴射装置を更に備えることを特徴とする。
【００１０】
請求項４に記載の発明は、請求項１から３のいずれか一項に記載の地中連続壁接合面の洗浄装置であって、前記接合面に設けられる止水用の鋼材に係合するとともに、前記鋼材に対し上下動可能な被ガイド部を更に備え、前記鋼材をガイドにして上下方向に移動することを特徴とする。
【００１１】
請求項５に記載の発明は、地中連続壁を構成する先行エレメントの、後行エレメントとの接合面に付着したスライムを除去する地中連続壁接合面の洗浄方法であって、前記接合面にブラシの毛先を当接させ、前記ブラシを、その回転軸が前記接合面に対し略垂直となるように回転させることを特徴とする。
【発明の効果】
【００１２】
本発明によれば、地中連続壁を構成する先行エレメントの、後行エレメントとの接合面を確実に洗浄することができる。
【図面の簡単な説明】
【００１３】
【図１】本発明を適用した一実施形態における洗浄装置を示す上面図である。
【図２】図１の背面図である。
【発明を実施するための形態】
【００１４】
以下、図を参照して本発明を実施するための形態を詳細に説明する。
図１は、本発明を適用した一実施形態の構成を示すもので、１は洗浄装置、２は地山、３は溝、４は先行エレメントである。
【００１５】
溝３は、地山２を掘削することにより形成されたもので、その内部には地中連続壁が構築される。溝３の深さは、地中連続壁の高さとほぼ等しく、溝３の幅は、地中連続壁の厚さよりやや大きくなっている。溝３の内部は、地山２の崩壊を防ぐための安定液（図示省略）で満たされている。
【００１６】
先行エレメント４は、溝３の内部に設けられ、地中連続壁の一部を構成するものである。すなわち、この先行エレメント４に連続するように後行エレメントが複数設けられることにより地中連続壁が構築される。先行エレメント４は、溝３の内部に鉄筋籠４１を組み、鉄筋籠４１に固定された左右一対の仕切鋼板４２（一方は図示省略）と、両仕切鋼板４２の間に張られた前後一対のシート４３とによって囲まれた空間にコンクリートを打設することにより設けられている。先行エレメント４の端部では仕切鋼板４２が露出し、その表面が後で設けられる後行エレメントの方向を向いている。この仕切鋼板４２の表面が、先行エレメント４の、後行エレメントとの接合面である。仕切鋼板４２の表面には、溝３の掘削などで生じた泥がスライムとなって付着している。
【００１７】
仕切鋼板４２には、ガイド鋼材４４が取り付けられている。ガイド鋼材４４は、洗浄装置１の上下動をガイドするＨ形鋼で、ウェブ４４ａ及びフランジ４４ｂ，４４ｃからなる。ガイド鋼材４４は、仕切鋼板４２に沿って鉛直に、且つ仕切鋼板４２の中心を通るように立てられている。そして、一方のフランジ４４ｂが、外面を鋼板に当接させた状態で仕切鋼板４２に溶接され、仕切鋼板４２とフランジ４４ｂとの間は完全に塞がれている。また、このガイド鋼材４４は、地中連続壁の構築後、止水材としての役割も果たす。つまり、後行エレメント構築後、仕切鋼板４２と後行エレメントのコンクリートとの間に僅かな隙間ができた場合に、ガイド鋼材４４が隙間に浸入した高圧の地下水を迂回させるので、地下水が地中連続壁の反対側に漏れにくくなる。
【００１８】
次に、洗浄装置１の具体的構成について説明する。
洗浄装置１は、仕切鋼板４２の表面、すなわち、先行エレメント４の、後行エレメントとの接合面を洗浄するもので、本体１１、モータ１２、ブラシ１３、噴射装置１４等を備えている。
【００１９】
本体１１は、図１、図２に示したように、被ガイド部１１ａ、吊下部１１ｂ、モータ支持部１１ｃ等からなる。被ガイド部１１ａは、扁平な角筒状の鋼材である。被ガイド部１１ａの長手方向の両端は開口している。被ガイド部１１ａ内部の空間は、フランジ４４ｃが納まる程度の大きさを有している。被ガイド部１１ａの正面には、その中心を通り、被ガイド部１１ａの長手方向に沿うようにスリット１１ｄが形成され、両端の開口と繋がっている。スリット１１ｄは、ウェブ４４ａの厚さよりも幅広く形成されている。吊下部１１ｂは、被ガイド部１１ａの背面上部から左右に延びるように設けられている。吊下部１１ｂの左右両側には孔１１ｅがそれぞれ形成されている。モータ支持部１１ｃは、被ガイド部１１ａ背面下部から、その背面に対し垂直に取り付けられた２本のＨ形鋼である。モータ支持部１１ｃの左右両側には、モータ１２を取り付けるための取り付け部材１１ｆが取り付けられている。
【００２０】
回転手段であるモータ１２は、モータ支持部１１ｃの左右両側方に、取り付け部材１１ｆによってそれぞれ取り付けられている。各モータ１２のシャフトは、仕切鋼板４２に対向するとともに、その回転軸が仕切鋼板４２の表面に対し垂直となる方向を向いている。各モータ１２には、コード（図示省略）の一端がそれぞれ接続されている。コードは地上まで延び、その他端がコントローラ（図示省略）に接続されている。各モータ１２の回転速度や回転方向は、地上のコントローラによって自由に変更できるようになっている。
【００２１】
ブラシ１３は、各モータ１２のシャフトにそれぞれ取り付けられている。ブラシ１３は、回転板１３ａにブラシ毛１３ｂを複数植えつけたものである。回転板１３ａは、その直径が仕切鋼板４２の側端からガイド鋼材４４までの距離とほぼ等しい円形をしている。そして、回転板１３ａの中心にシャフトの差込口が設けられている。ブラシ毛１３ｂは、細い鋼線をより合わせたもので、回転板１３ａに垂直に植えつけられている。各ブラシ毛１３ｂの長さは全て等しく、その毛先がほぼ同一面上に揃えられている。
【００２２】
噴射装置１４は、管１４ａ、ホース１４ｂ、図示しないポンプ（図示省略）等からなる。管１４ａは、図２に示したように、各ブラシ１３の上方を横断するように設けられている。管１４ａの各ブラシ１３の付近には、仕切鋼板４２の方向へ向かって噴射口１４ｃが複数形成されている。管１４ａの両端は塞がれ、その中央にはホース１４ｂの一端が接続されている。ホース１４ｂは地上まで延び、その他端がポンプに接続されている。ポンプから管１４ａに高圧の水を供給することにより、噴射口１４ｃから仕切鋼板４２の方向へ向かって水が勢いよく噴射されるようになっている。
【００２３】
次に、洗浄装置１による、仕切鋼板４２の洗浄方法について説明する。
本体１１の孔１１ｅにクレーンのフックを掛け、洗浄装置１をクレーンで吊り上げる。そして、図１に示したように、フランジ４４ｃの上端を、被ガイド部１１ａの下端から被ガイド部１１ａの内部に入り込ませ、スリット１１ｄにウェブ４４ａを通すことにより、洗浄装置１をガイド鋼材４４に係合させる。そのまま、洗浄装置１を下降させ、溝３の安定液中に沈めていく。すると、ブラシ１３の毛先が仕切鋼板４２の上部に当接する。
【００２４】
そして、モータ１２を作動させることによりブラシ１３を回転させる。そして、ブラシ１３を回転させたまま洗浄装置１を更に下降させる。すると、ブラシ１３が、仕切鋼板４２の表面に当接しながら回転し、仕切鋼板４２の表面に付着したスライムをこすり落としていく。この間、洗浄装置１が揺れ動いて仕切鋼板４２から離れそうになっても被ガイド部１１ａがフランジ４４ｃに引っかかるので、ブラシ１３が仕切鋼板４２に当接した状態が保たれる。
【００２５】
ブラシ１３の回転開始と平行して、噴射装置１４による水の噴射を開始する。噴射装置１４は、ブラシ１３が通り過ぎた後の仕切鋼板４２の表面に高圧の水を噴射していく。こうして、こすられた後もなお仕切鋼板４２の表面に残るスライムが高圧の水によって吹き飛ばされる。洗浄装置１が溝３の底まで達したところでブラシ１３の回転、噴射装置１４による水の噴射を止め、洗浄装置１を引き上げる。必要であれば、ブラシ１３を回転させながら洗浄装置１を引き上げる。こうすることにより、仕切鋼板４２の表面からスライムが除去される。
【００２６】
この洗浄装置１によれば、ブラシ１３が、上下動するとともに、接合面から見て時計回りまたは反時計回りに回転するので、仕切鋼板４２の表面がブラシ１３によって縦横に満遍なくこすられ、仕切鋼板４２表面のスライムが残らずこすり落とされる。従って、仕切鋼板４２の表面、すなわち、先行エレメント４の、後行エレメントとの接合面を確実に洗浄することができる。そして、この洗浄装置１によって仕切鋼板４２の表面を洗浄した後に後行エレメントを設ければ、仕切鋼板４２とコンクリートとの間に隙間が生じにくい高品質の地中連続壁を構築することができる。
【００２７】
また、ブラシ１３を先行エレメント４の厚さに合わせて複数設けることにより、洗浄装置１を一度下降させるだけで仕切鋼板４２の表面の洗浄を終えることができる。
また、ブラシ１３でこすった後の仕切鋼板４２の表面に高圧の水を噴射することにより、ブラシ１３でこすった後もなお仕切鋼板４２の表面に残るスライムを吹き飛ばし、仕切鋼板４２の表面をより確実に洗浄することができる。
また、ガイド鋼材４４をガイドに用いることにより、ブラシ１３が仕切鋼板４２の表面に当接した状態を確実に保持することができる。
【００２８】
なお、以上の実施形態においては、地中連続壁の接合面を鋼板としたが、本発明はこれに限定されるものではなく、コンクリート面であっても良い。
また、上下方向にもブラシを複数設ける、ギア等を用いて一つのモータで複数のブラシを回転させる、駆動装置を設けて自動昇降させる等も任意であり、その他、具体的な細部構造等についても適宜に変更可能であることは勿論である。
【符号の説明】
【００２９】
１     洗浄装置
１１ａ 被ガイド部
１２   モータ（回転手段）
１３   ブラシ
１４   噴射装置
２     地山
３     溝
４     先行エレメント（地中連続壁）
４２   仕切鋼板（接合面）
４４   鋼材
【図１】
2011094290.tif 000003
【図２】
2011094290.tif 000004